(57)【要約】【課題】管理情報領域の情報再生時にクロストークが発生せず、また、情報再生の高速応答性が可能な光記録媒体の再生方法及び光記録媒体を提供することである。【解決手段】光ディスク１００を駆動するために必要な管理情報は偏向パターン１０４として記録する。管理情報領域１０１の偏向トラック１０３の一部の溝壁部に偏向パターン１０４を形成し、且つ、偏向パターン１０４をトラックの周方向に複数分散させて形成させる。また、記録トラックを挟んで隣接する偏向トラックにそれぞれ形成された偏向パターン同士がトラックの径方向に互いに対向しないようにオフセットして配置する。【選択図】  図１０
2004152332.tif 000002
【特許請求の範囲】
【請求項１】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報が前記案内溝の側壁の一部をトラックの径方向に偏向させることにより形成された偏向部として記録され、前記案内溝の偏向部がトラックの周方向に複数に分散して形成され、且つ、互いに隣接する案内溝にそれぞれ形成された前記偏向部がトラックの径方向に互いに対向しない位置にオフセットされて設けられている再生専用媒体、相変化記録媒体、有機記録層ＷＯ媒体または無機記録層ＷＯ媒体を用い、
前記偏向部から前記管理情報を再生した後に、前記ユーザー情報を再生することを特徴とする光記録媒体の再生方法。
【請求項２】
前記偏向部を有する案内溝に光を照射して、その戻り光をトラックの径方向に少なくとも２分割された受光部を有する光検出器で検出して、各受光部から得られる検出信号の差信号を求めて、その差信号から前記偏向部に記録された管理情報を再生することを特徴とする請求項１に記載の光記録媒体の再生方法。
【請求項３】
前記案内溝間のランド部に少なくとも一つのプリピットが設けられていることを特徴とする請求項１または２に記載の光記録媒体の再生方法。
【請求項４】
請求項１の再生方法で再生可能な光記録媒体であって、前記案内溝の深さが、入射光の基板内波長λに対してλ／８〜λ／６の範囲の深さであることを特徴とする光記録媒体。
【請求項５】
請求項１の再生方法で再生可能な光記録媒体であって、前記案内溝間に形成されたランド部上に該ランド部の光学的な実効高さを低減するための複数のプリピットが形成されていることを特徴とする光記録媒体。
【請求項６】
請求項１の再生方法で再生可能な光記録媒体であって、前記偏向部の両側に隣接するランド部領域に、前記管理情報の再生信号に重み付けを行うためのプリピットが形成されていることを特徴とする光記録媒体。
【請求項７】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報が記録マークとして記録されている光記録媒体を用い、
前記偏向部から前記管理情報を再生した後に、前記ユーザー情報を再生することを特徴とする光記録媒体の再生方法。
【請求項８】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報がプリピットとして記録されている光記録媒体を用い、
前記偏向部から前記管理情報を再生した後に、前記ユーザー情報を再生することを特徴とする光記録媒体の再生方法。
【請求項９】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報が記録マークとして形成された記録マーク形成領域とで構成されており、前記ユーザー情報が記録マークとして記録されている光記録媒体を用い、
前記偏向部形成領域及び前記記録マーク形成領域の管理情報を再生した後に、前記ユーザー情報領域のユーザー情報を再生することを特徴とする光記録媒体の再生方法。
【請求項１０】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報がプリピットとして形成されたプリピット形成領域とで構成されている再生専用媒体、相変化記録媒体または色素記録媒体を用い、
前記偏向部形成領域及び前記プリピット形成領域の管理情報を再生した後に、前記ユーザー情報を再生することを特徴とする光記録媒体の再生方法。
【請求項１１】
光記録媒体に記録されたユーザー情報を含むユーザー情報領域と管理情報を含む管理情報領域とを前記光記録媒体上の互いに異なる領域に備えた光記録媒体の再生方法であって、
前記光記録媒体として、前記管理情報領域に案内溝が形成され、前記管理情報領域が、前記案内溝の側壁の一部をトラックの径方向に偏向させることにより形成された偏向部として管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられているており、さらに、前記管理情報領域の管理情報がＣＡＶフォーマットで記録された光記録媒体を用い、
前記光記録媒体をＣＡＶ駆動させつつ前記偏向部から管理情報を再生した後に、前記ユーザー情報領域のユーザー情報を再生することを特徴とする光記録媒体の再生方法。
【請求項１２】
光記録媒体であって、
前記光記録媒体上に設けられたユーザー情報を含むユーザー情報領域と、
前記ユーザー情報領域とは異なる光記録媒体上の領域に設けられた管理情報を含む管理情報領域とを備え、
前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報が記録マークで記録されており、
前記偏向部から管理情報が再生された後に、前記ユーザー情報が再生されることを特徴とする光記録媒体。
【請求項１３】
光記録媒体であって、
前記光記録媒体上に設けられたユーザー情報を含むユーザー情報領域と、
前記ユーザー情報領域とは異なる光記録媒体上の領域に設けられた管理情報を含む管理情報領域とを備え、
前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成部領域とは別の場所に位置し且つ管理情報が記録マークで形成された記録マーク形成領域とで構成されており、前記ユーザー情報が記録マークとして記録されており、
前記偏向部形成領域及び前記記録マーク形成領域の管理情報が再生された後に、前記ユーザー情報が再生されることを特徴とする光記録媒体。
【請求項１４】
光記録媒体であって、
前記光記録媒体上に設けられたユーザー情報を含むユーザー情報領域と、
前記ユーザー情報領域とは異なる光記録媒体上の領域に管理情報を含む管理情報領域とを備え、
前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報がプリピットで形成されたプリピット形成領域とで構成されており、前記ユーザー情報が記録マークとして記録されており、
前記偏向部形成領域及び前記プリピット形成領域の管理情報が再生しされた後に、前記ユーザー情報が再生されることを特徴とする光記録媒体。
【請求項１５】
光記録媒体であって、
前記光記録媒体上に設けられたユーザー情報を含むユーザー情報領域と、
前記ユーザー情報領域とは異なる光記録媒体上の領域に管理情報を含む管理情報領域とを備え、
前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記案内溝間のランド部に少なくとも一つのプリピットが形成されており、
前記偏向部から管理情報が再生された後に、前記ユーザー情報が再生されることを特徴とする光記録媒体。
【請求項１６】
光記録媒体であって、
前記光記録媒体上に設けられたユーザー情報を含むユーザー情報領域と、
前記ユーザー情報領域とは異なる光記録媒体上の領域に管理情報を含む管理情報領域とを備え、
前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記管理情報領域がＣＡＶフォーマットで記録されており、
前記偏向部から管理情報が再生された後に、前記ユーザー情報が再生されることを特徴とする光記録媒体。
【請求項１７】
再生専用光記録媒体であって、
前記光記録媒体上に設けられたユーザー情報を含むユーザー情報領域と、
前記ユーザー情報領域とは異なる光記録媒体上の領域に管理情報を含む管理情報領域とを備え、
前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた領域で構成され、或いは、案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた偏向部形成領域と、該偏向部形成領域とは別の場所に位置し且つ管理情報がプリピットで形成されている領域とで構成されており、前記ユーザー情報が記録マーク或いはプリピットで記録されており、
前記管理情報領域の管理情報が再生された後に、前記ユーザー情報が再生されることを特徴とする再生専用光記録媒体。
【請求項１８】
再生専用光記録媒体であって、
前記光記録媒体上に設けられたユーザー情報を含むユーザー情報領域と、
前記ユーザー情報領域とは異なる光記録媒体上の領域に管理情報を含む管理情報領域とを備え、
前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた領域で構成されており、前記ユーザー情報が記録マーク或いはプリピットで記録されており、
前記偏向部から管理情報が再生された後に、前記ユーザー情報が再生されることを特徴とする再生専用光記録媒体。
【請求項１９】
再生専用光記録媒体であって、
前記光記録媒体上に設けられたユーザー情報を含むユーザー情報領域と、
前記ユーザー情報領域とは異なる前記光記録媒体上の領域に管理情報を含む管理情報領域とを備え、
前記管理情報領域に案内溝が形成され、前記管理情報が案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記案内溝間のランド部に少なくとも一つのプリピットが形成されており、
前記偏向部から管理情報が再生された後に、前記ユーザー情報が再生されることを特徴とする再生専用光記録媒体。
【請求項２０】
光記録媒体に情報を記録または再生するための光ヘッドと、該光ヘッド駆動するための駆動装置とを備えた記録再生装置であって、
前記記録再生装置が、前記光記録媒体のトラックの径方向に少なくとも２分割された受光部を有する光検出器と、少なくとも２分割された受光部からそれぞれ得られる検出信号の差分を用いて管理情報を再生するとともに前記光ヘッドのサーボ制御を行うサーボ制御回路と、前記サーボ制御回路から得られる管理情報により前記光記録媒体を識別するとともに、前記サーボ制御回路を該識別情報に基づいて制御するコントローラとを有することを特徴とする記録再生装置。
【請求項２１】
前記コントローラは前記光記録媒体が正規許諾媒体であるか違法媒体であるかを判定することを特徴とする請求項２０に記載の記録再生装置。
【発明の詳細な説明】
【０００１】
【発明の属する技術分野】
本発明は光記録媒体の再生方法、光記録媒体及び光記録媒体の記録再生装置に関し、より詳細には、光記録媒体を駆動するために必要な管理情報を含む管理情報領域とユーザー情報を含むユーザー情報領域とが光記録媒体上で互いに異なる領域に形成されている光記録媒体の再生方法、光記録媒体及び光記録媒体の記録再生装置に関する。
【０００２】
【従来の技術】
光ディスクの分野では、光ディスクの高密度化に伴いトラックフォーマットの構造も複雑になり、データ記録部のみならずヘッダー部の構造も工夫されている。光ディスクは、一般に、図１に示すように、光ディスク１０の内周側に管理情報を含んだ管理情報領域１１を備え、その外側にユーザー情報を含んだユーザー情報領域１２を備えた構造を有する。この構造は、ＤＶＤ−ＲＡＭのようにディスクの内周側から情報を記録するタイプの光ディスクでは一般的である。また、ディスクの外周側から情報を記録する光ディスクの場合は、外周側に管理情報領域が形成される。管理情報領域とは呼称していないが、内周及び外周双方にコントロールトラック領域（管理情報が記録される領域）を設けているものもある。
【０００３】
光ディスクの管理情報領域及びユーザー情報領域に形成される情報トラックのフォーマットは、光ディスクの種類により様々で、例えば、追記及び書き換え可能な光ディスクであるＣＤ−Ｒ及びＣＤ−ＲＷに形成されている情報トラックは蛇行溝のみで構成されており、生産性に優れたトラックフォーマットを有する。一方、ＣＤ−Ｒ及びＣＤ−ＲＷよりさらに高記録密度化を図った光ディスクである追記及び書き換え可能なＤＶＤ―Ｒ、ＤＶＤ−ＲＷ及びＤＶＤ−ＲＡＭでは、その品種が多様であり、複雑なトラックフォーマットが採用されている。例えば、ＤＶＤ−Ｒ及びＤＶＤ−ＲＷでは蛇行溝間に記録時に同期をとるためのランドプリピット（ＬＰＰ）が形成されており、ＤＶＤ−ＲＡＭではランドとグルーブの境界の延長線上に物理ＩＤピットが設けられている。
【０００４】
これらの光ディスクでは、ユーザー情報領域のトラックフォーマットは、再生専用、追記型あるいは書き換え可能型の種類により異なるが、管理情報記録のフォーマットを各種光記録媒体間で共通化して相互の互換性を確保する場合には、管理情報領域のトラックフォーマットを工夫する必要がある。
【０００５】
例えば、ＤＶＤ−ＲＯＭ、ＤＶＤ−ＲＡＭ、ＤＶＤ−Ｒ及びＤＶＤ−ＲＷの光ディスク間で管理情報領域のトラックフォーマットを統一して互換性に配慮した構成にする場合がある。この際、各光ディスクのユーザー情報領域の記録形態は、記録媒体の種類により異なり、プリピットマーク、グルーブを有する記録トラック或いはグルーブ間のランド領域を蛇行させ且つランド上にプリエンボスマークを形成するなどの様々なフォーマットで形成される。しかしながら、共通化される管理情報領域のトラックフォーマットの選定は、最初に製品化された再生専用のＤＶＤ−ＲＯＭ媒体を中心にして行われてきた。このため、ＤＶＤ−ＲＡＭ、ＤＶＤ−Ｒ及びＤＶＤ−ＲＷの管理情報領域のフォーマットに対して、ＤＶＤ−ＲＯＭフォーマットを踏襲することになっている。すなわち、ＤＶＤ−ＲＡＭ、ＤＶＤ−Ｒ及びＤＶＤ−ＲＷの管理情報領域は、ＤＶＤ−ＲＯＭと同じプリピット方式で形成される。
【０００６】
しかしながら、ＤＶＤ−ＲＷのような相変化記録媒体やＤＶＤ−Ｒのような色素記録媒体などの追記型及び書き換え可能型媒体（以下、適宜、記録可能媒体という）では、管理情報領域のフォーマットで必要とするプリピットの深さと、ユーザー情報領域で情報記録に必要とされるグルーブ深さは光学的に異なる。管理情報領域のプリピットに要求される位相深さはλ／４であるが、ユーザー情報領域のグルーブ深さに要求される深さはλ／８〜λ／６であり、記録可能媒体では管理情報領域のプリピットに比べてグルーブ深さを浅くする必要がある。すなわち、基板製造時に、ユーザー情報領域と管理情報領域で深さの異なる凹凸パターンを作製する必要がある。それゆえ、追記及び書き換え可能な光ディスクの基板を製造する際には、一枚の記録可能媒体の中で異なる物理仕様のマーク形成を実行するためには、特別な製造手段を施す必要があるという問題があった。
【０００７】
また、再生専用の光ディスクでは、管理情報領域にプリピットにより形成されている管理情報は、ユーザー情報領域のユーザー情報と同じ信号処理系で再生されるため、容易に管理情報を複製することができる。一方、記録可能媒体であるＣＤ−Ｒ、ＣＤ−ＲＷ、ＤＶＤ−ＲあるいはＤＶＤ−ＲＷの管理情報領域では、情報記録前（初期状態）には管理情報は蛇行溝で形成されているが、情報記録後はピットやドメインなどの記録マークで蛇行溝上に追記されて、情報記録後は記録マークで管理情報領域が形成される。それゆえ、記録可能媒体であるＣＤ−Ｒ、ＣＤ−ＲＷ、ＤＶＤ−ＲあるいはＤＶＤ−ＲＷにおいても、コピー防止情報の追記ピットやプリピットが形成されてはいるが、情報記録後にはこれらの記録可能媒体における管理情報は記録マークで形成されるので、管理記録信号はデータ情報信号と同じデータ信号処理系で再生可能である。それゆえ、情報の複製を完全に防止することは困難である。
【０００８】
従来、上記各種光ディスク間の管理情報領域のトラックフォーマットの互換性を図った例として、管理情報領域のトラックフォーマットが書き込みに必要なデータにより周波数変調されたウォブリンググルーブでプリフォーマットされている光ディスクが提案されている（例えば、特許文献１を参照。）。この光ディスクでは、書き込み型の光ディスクに要求される最適の記録条件（反射率、レーザーパワー、線速、ピットの形状を設定するための変調パルス形状）のデータに従って特定のウォブル周期で変調されたウォブルグルーブを管理情報領域に設けている。管理情報領域の管理情報をウォブルグルーブで形成することにより、再生専用媒体と記録可能媒体との互換性を高めている。さらに、管理情報がウォブルグルーブにより記録されているため、ウォブルグルーブで記録された管理情報を複製するためには原盤露光装置等の設備が必要になるので複製防止効果も向上する。また、書き込みに必要なデータにより周波数変調されたウォブリンググルーブが光ディスクの内周側に設けられている光ディスクも提案されている（例えば、特許文献２を参照。）。
【０００９】
【特許文献１】
特開平５−１８９９３４号公報（第２−３頁、第１図）
【特許文献２】
特開平９−２３１５８１号公報（第２−３頁、第１図）
【００１０】
【発明が解決しようとする課題】
ところで、上記特許文献１及び２で提案された光ディスクの管理情報領域では、書き込みに必要なデータがそのデータに対応した周波数で変調されたウォブリンググルーブにより記録されている。すなわち、グルーブ側壁がトラックの径方向に蛇行しており、そのウォブリンググルーブは、書き込みに必要なデータに対応する特定のウォブル周期でトラック全周に渡って蛇行している。それゆえ、隣接するウォブルグルーブ間では、トラックの径方向にウォブル状の溝部が対向する形状になっている。これにより、高密度記録化を図るためにウォブリンググルーブ幅を狭くしたとき、隣接するウォブリンググルーブ間でクロストークが発生し易くなる。
【００１１】
また、上記特許文献１及び２で提案された光ディスクの管理情報領域では、周波数変調されたウォブリンググルーブは、ＣＬＶ（Ｃｏｎｓｔａｎｔ  Ｌｉｎｅａｒ  Ｖｅｌｏｃｉｔｙ）フォーマットにより記録される。ウォブリンググルーブから書き込みに必要なデータをＣＬＶ駆動で再生する際、光ディスクの回転数はディスク中心からのトラック位置により異なるので、各トラックに記録された書き込みに必要なデータを再生する前に、トラック毎にトラック位置に対応した回転数を設定しなければならない。それゆえ、情報再生時の応答速度が制限される。
【００１２】
本発明の第１の目的は、上記従来技術の問題を解決するものであって、本発明の第１の目的は、高密度記録化を図るために管理情報領域の溝幅を狭くしてもクロストークが発生しない光記録媒体の再生方法、光記録媒体及び光記録媒体の記録再生装置を提供することである。
【００１３】
また、第２の目的は、管理情報領域の情報再生時における情報再生の応答性を高速化するための光記録媒体の再生方法、光記録媒体及び光記録媒体の記録再生装置を提供することである。
【００１４】
【課題を解決するための手段】
本発明の第１の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報が前記案内溝の側壁の一部をトラックの径方向に偏向させることにより形成された偏向部として記録され、前記案内溝の偏向部がトラックの周方向に複数に分散して形成され、且つ、互いに隣接する案内溝にそれぞれ形成された前記偏向部がトラックの径方向に互いに対向しない位置にオフセットされて設けられている再生専用媒体、相変化記録媒体、有機記録層ＷＯ媒体または無機記録層ＷＯ媒体を用い、前記偏向部から前記管理情報を再生した後に、前記ユーザー情報を再生することを特徴とする光記録媒体の再生方法が提供される。
【００１５】
本発明の光記録媒体では、管理情報領域の管理情報が案内溝の側壁の一部をトラックの径方向に偏向させることにより記録され、管理情報として形成された偏向部がトラックの周方向に複数に分散して形成され、且つ、互いに隣接する案内溝にそれぞれ形成された偏向部同士がトラックの径方向に互いに対向しないようにオフセットされて設けられている。ここで、管理情報とは光記録媒体に関する情報であり、駆動条件、記録されている情報に関する情報、ベンダー情報及びセキュリティ情報などを含むものである。なお、本発明の第１の態様に従う光記録媒体は、再生専用媒体、相変化記録媒体、有機記録層ＷＯ（Ｗｒｉｔｅ  Ｏｎｃｅ）媒体または無機記録層ＷＯ媒体を対象としている。ここで、無機記録層ＷＯ媒体とは、例えば、記録層がＧｅＳｂＴｅ／Ｃｏ界面層の２層構造である媒体や、ＡｕＳｎ、ＡｕＳｉ、あるいはＡｕＧｅなどの金属膜で形成されている光記録媒体である。図２に、本発明の光記録媒体のトラックフォーマットの一例を示す。本発明の光記録媒体では、図２に示すように、基板２１上に形成された案内溝であるグルーブ部２２（以下、偏向トラックともいう）の壁面の一部をトラックの径方向に偏向した偏向パターン２４が形成されている。なお、図２において再生光は基板の下側から照射されるため、図２の凸部が２２を構成する。本発明の光記録媒体では、偏向パターン２４により管理情報領域の管理情報が記録される。偏向パターン２４は図示のようにトラックの周方向に複数に分散して形成されている。なお、図２に示すような偏向トラック２２は、原盤露光時に、原盤上のフォトレジストに露光された露光パターン部に対応する。
【００１６】
さらに、本発明の光記録媒体では、図２に示すように、ランド部２３（以下では、記録トラックという）を挟んで隣接する偏向トラック２２にそれぞれ形成されている偏向パターン２４同士が記録トラック２３を挟んでトラックの径方向に互いに対向しない位置にオフセットして配置されている。すなわち、偏向パターン２４が形成されている領域とトラックの径方向に隣接する偏向トラックの領域にはトラックの径方向に偏向していない溝パターンが形成されている。これにより、高密度記録化を図るためにトラックピッチを狭くした場合でも、管理情報として形成されている偏向パターンの両側に隣接する偏向トラックの領域には偏向パターンが存在しないので、偏向トラック間の信号干渉等の影響を受けずに管理情報領域に記録された管理情報を良好な再生信号で再生できる。
【００１７】
また、偏向トラックの偏向パターンをトラックの周方向に複数に分散させることにより、再生可能な信号を安定して得ることができる。例えば、一方の偏向トラックの偏向パターンを他方の偏向トラックにも記録することにより、記録の冗長が倍となって記録効率は低下するが、確実にその情報の記録再生が行われることになる。さらに、偏向トラックの偏向パターンは、光ディスクの偏心等の機械特性により変動することを勘案して分割することができ、最低でもトラックを２分割以上に分割して対策することが好ましい。
【００１８】
また、本発明の光記録媒体では、偏向パターンで形成された管理情報領域に後から記録マークを記録するようなことは原則として不要である。すなわち、偏向パターンで形成された管理情報領域には、従来のＣＤ−ＲやＣＤ−ＲＷのように情報記録後にピットやドメイン等による記録マークによる管理情報の追記を行う必要はない。
【００１９】
本発明の光記録媒体では、管理情報領域に形成される案内溝の深さは再生光の基板内波長λに対して、λ／８〜λ／６の深さであることが好ましい。これにより、追記及び書き換え可能な記録可能媒体においても管理情報領域のグルーブ深さを、ユーザー情報領域のグルーブ深さと同じ深さにすることができるので、基板成形時に１種類の溝深さを有する凹凸パターンを形成すれば良く、製造が容易になる。また、再生専用媒体においても管理情報領域のグルーブ深さを、λ／８〜λ／６として形成することも可能であるので、再生専用媒体と記録可能媒体で管理情報領域のフォーマットを共通化でき、より互換性に優れた媒体フォーマットを得ることができる。
【００２０】
次に、図２に示したトラックフォーマットを例にとり、偏向パターンにより記録された管理情報の再生方法を説明する。偏向パターン２４で形成された管理情報はトラッキング信号の再生手段と同じ手法で再生することができる。例えば、図３に示すようなトラッキングサーボ回路３０により再生することができる。図３に示すように、トラック方向に対して垂直方向に２分割した受光部を有するフォトディテクタ３１から得られた検出信号の差信号をウォブリング信号検出器３２で検出して管理情報をコントローラ３３で再生する。図３のトラッキングサーボ回路３０で検出される差信号はトラックの径方向のプッシュプル信号と同じであり、案内溝をトラッキングする際に得られるものと同じ信号である。ただし、偏向パターンは、トラッキングのサーボ帯域に対して充分高速な周波数変調により偏向して記録される。これにより、偏向パターンからの偏向信号がトラッキングのループ利得で抑圧されることが防止され、図３に示すようなトラッキングサーボ回路３０で差信号から管理情報を検出することが可能になる。また、管理情報の検出にはサーボループの中で安定化されたプッシュプル信号を利用するので、信号レベル変動が少なく安定した管理情報の信号が得られる。さらに、本発明の光記録媒体では記録トラックを挟んで隣接する偏向トラックの偏向パターンは互いに径方向に対向しない位置にオフセットして配置されているので、光記録媒体を駆動装置に装填したときに発生するトラッキングオフセットや光記録媒体の機械特性によるトラッキング変動が発生した場合であってもクロストークが発生せず、管理情報を安定して再生することができる。
【００２１】
図４に、管理情報領域のアドレス記録として、アドレス情報を偏向トラック上に偏向パターンとして記録した様子を示す。偏向トラックの間に位置する記録トラック上を、図４中の破線の矢印に示すような方向にレーザ光で走査して、図２に示すようなトラック方向に対して垂直方向に２分割したフォトディテクタで戻り光を検出すると、記録トラックの両隣に位置するそれぞれの偏向トラックの偏向パターンからの偏向信号が交互に検出され、一回の光スポット走査で複数のアドレス情報が得られる。この際、先に読み出されるアドレス情報（ＩＤ１）と後に読み出されるアドレス情報（ＩＤ２）とから、図５のテーブルに従って、記録トラックのデータトラック番号を特定することができる。例えば、ある記録トラックをレーザ光で走査したときに、先に読み出されるアドレス情報（ＩＤ１）がアドレスＮ＋１であり、後に読み出されるアドレス情報（ＩＤ２）がアドレスＮであれば、図５のテーブルから、その記録トラックのトラック番号がｋであることを特定できる。
【００２２】
また、管理情報の再生時に、光ディスクが径方向に傾いてレーザ光のコマ収差により、記録トラックの両側に隣接する偏向トラックのうち、一方の偏向トラックからの再生信号が劣化した場合でも、他方の偏向トラックからの再生信号が得られるため、記録トラックのアドレス情報を確定することが可能である。すなわち、アドレス確定のための冗長が得られる。
【００２３】
また、本発明の光記録媒体では、図６に示すように、記録トラック６３の両側に隣接する偏向トラック６２及び６６のうち、一方の偏向トラック６６の偏向パターン列の後端部６７と、他方の偏向トラック６２の偏向パターン列の先端部６５との間に位置する記録トラックのスペース部におけるトラックの周方向の間隔δＴは、光記録媒体の管理情報を再生する際に用いる光スポット径よりも大きいことが好ましい。これにより、管理情報の再生時に一方の偏向トラック６６の偏向パターン列の後端部６７と、他方の偏向トラック６２の偏向パターン列の先端部６５とが同時に光スポット内に入ることが無くなり偏向パターン間の信号干渉を避けることができる。それゆえ、さらに偏向トラック間の信号干渉が防止され、より正確な再生が可能になる。
【００２４】
また、本発明の光記録媒体では、管理情報を偏向パターンで記録する手段は、アドレス情報以外のプリフォーマット情報、例えば、セクタ内の管理情報などに適用する。それらの情報を偏向パターンで記録してトラックの周方向に偏向パターンを分散して形成する際、アドレスで示唆する領域を細分化して、アドレス情報と同程度の長さで記録を行うことが記録バランス上好ましい。すなわち、プリフォーマット情報のうち、セクタ内の管理情報はアドレス情報と同程度の長さで分割し、分割されたセクタ内の管理情報を偏向トラックの周方向に分散して記録することが好ましい。ただし、分割する情報の長さは、必ずしもアドレス情報と同程度の長さにする必要はなく、必要に応じて任意の長さに設定することができる。
【００２５】
本発明の光記録媒体の再生方法では、偏向トラックに形成された偏向パターンにより管理情報を記録しているので、管理情報は図３に示すようなトラッキングサーボ回路から検出することができる。すなわち、管理情報の再生はユーザー情報領域に記録されたユーザー情報とは別の手段で再生される。それゆえ、管理情報がユーザー情報の処理系から機器外部に漏れることはない。すなわち、管理情報を外部から不正に得ることが困難となり、管理情報のセキュリティとして有効に機能し、管理情報の保全が確保される。従って、光記録媒体の違法コピーが行われる場合であっても、データの記録再生に必要な管理情報が読み出せないため、そのようなコピーが防止される。さらに、本発明の光記録媒体の再生方法では、管理情報領域とユーザー情報領域は別の手段再生されるため、情報再生時には、まず、管理情報領域に偏向パターンで記録されている管理情報を再生した後に、ユーザー情報領域にピットや記録マークで記録されたユーザー情報を再生する。
【００２６】
本発明の光記録媒体では、光記録媒体が再生専用媒体である場合、記録可能媒体の管理情報領域のトラックフォーマットに合わせて、偏向トラックの溝深さをλ／８〜λ／６として作製することも可能である。しかしながら、再生専用媒体のユーザー情報領域のプリピットの最適な深さはλ／４であり、プリピットがλ／４が時、プリピットの再生信号レベルが最大になる。このユーザー情報領域のプリピット深さに合わせて管理情報領域の偏向トラックの溝深さをλ／４にする場合には、回折戻り光が逆相になりプッシュプル信号は得ることができなくなる。それゆえ、管理情報領域の偏向トラックの溝深さをλ／４にする場合には、図７に示すように、基板７１上の管理情報領域に形成された偏向トラック７２の両側に隣接する記録トラック７３上にトラックの周方向に複数のプリピット７５を均一に配置するのが好ましい。記録トラック７３の周方向に複数のプリピット７５を均一に等間隔で配置することにより、偏向パターン７４からの戻り光の信号レベルが変化して、光ヘッドから見た光学的なランド部の高さが実際の高さより小さく評価される。すなわち、記録トラック７３の光学的な実効高さを低下させることができる。これにより、実効上の溝深さを低減させることが可能になり、偏向トラック７３の溝深さを実効上λ／４より浅くすることができる。図７に示すようなトラックフォーマットにすることにより、再生専用媒体の偏向トラックからもプッシュプル信号を検出することができる。ただし、プリピット７５は再生時に照射される光スポット径より小さい径を有し、そのプリピット径及びプリピットの配置間隔は、溝深さがλ／８〜λ／６の時に得られるプッシュプル信号と同等の信号が得られるように最適化される。
【００２７】
また、再生専用光記録媒体における管理情報領域のトラックフォーマットの別の例を図８に示す。再生専用光記録媒体の偏向トラック８２の深さがλ／４であっても、図８に示すように、偏向トラック８２の幅を隣接する記録トラック８３の幅より狭くすることにより偏向パターン８４で形成された管理情報を２分割フォトディテクタから得られる検出信号の差信号として検出することができる。ここで、偏向トラック８２の幅は偏向トラック８２と記録トラック８３の合計幅の２０％〜４５％の範囲で形成することが好ましい。偏向トラック８２の幅がこの数値範囲より広いと検出される差信号は小さくなり信号品質が劣化する。一方、偏向トラック８２の幅がこの数値範囲より狭い場合は偏向トラックの形成が困難になる。上述のように、再生専用記録媒体における管理情報領域のトラックフォーマットを図７及び８に示すような構造にすることにより、偏向トラックの溝深さをユーザー領域のプリピット深さと同じλ／４として製造できるので、基板製造時に１種類の溝深さを有する凹凸パターンで作製することができ、光記録媒体の製造が容易になる。
【００２８】
また、本発明の光記録媒体では、管理情報領域に形成された偏向トラックの周方向に分散されている少なくとも一つの偏向パターンの両側に隣接する記録トラック領域に、記録する管理情報に対応して選択的に１つ又はトラックの周方向複数のプリピットを形成して管理情報の再生信号強度に重み付けを行うことが好ましい。偏向パターンによる管理情報は、複製し難くセキュリティ性が高いことを説明したが、さらに複製し難くするための手段として偏向パターンの両側に隣接する記録トラック領域上に記録する管理情報に対応して選択的にプリピットを配置する。例えば、図９に示すように、偏向パターン９４の偏向パターン列の先端部９６と後端部９７に隣接する記録トラック９３の領域にそれぞれプリピット９５を形成する。これにより、偏向パターン列の先端部９６と後端部９７から検出される再生信号は、先端部９６と後端部９７との間の偏向パターン列の領域から得られる再生信号とは異なる強度レベルの再生信号が得られ、偏向パターン９４の先端部９６と後端部９７の検出信号レベルに重み付けを行ったことになる。すなわち、偏向パターン列内の一部分に隣接する記録トラック領域にのみプリピットを配置することで、偏向パターンから再生信号の変調効果をもたらす。図９に示すようなトラックフォーマットは、図３に示した溝深さがλ／８〜λ／６である記録可能光記録媒体はもちろん図８に示した溝深さがλ／４である再生専用光記録媒体にも適用可能である。
【００２９】
また、図９に示した偏向パターンとその一部の両隣に形成されたプリピットとの相関を考慮して記録された管理情報を複製するためには、偏向パターンとプリピットの両方を複製する必要がある。それゆえ、図９に示した管理情報領域のフォーマットは複製がさらに困難になり、セキュリティを一層向上させることができる。
【００３０】
本発明の第２の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報が記録マークとして記録されている光記録媒体を用い、前記偏向部から前記管理情報を再生した後に、前記ユーザー情報を再生することを特徴とする光記録媒体の再生方法が提供される。
【００３１】
本発明の第３の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報がプリピットとして記録されている光記録媒体を用い、前記偏向部から前記管理情報を再生した後に、前記ユーザー情報を再生することを特徴とする光記録媒体の再生方法が提供される。
【００３２】
本発明の第４の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報が記録マークとして形成された記録マーク形成領域とで構成されており、前記ユーザー情報が記録マークとして記録されている光記録媒体を用い、前記偏向部形成領域及び前記記録マーク形成領域の管理情報を再生した後に、前記ユーザー情報領域のユーザー情報を再生することを特徴とする光記録媒体の再生方法が提供される。
【００３３】
光記録媒体の種類によっては、その種類に特有の管理情報を必要とする場合がある。例えば、記録膜の構成材料等により記録条件を適宜変更する必要がある。このような場合、光記録媒体特有の管理情報を記録するには、偏向パターンによる管理情報の記録に加え、各種光記録媒体固有の記録状態、例えばプリピットや相変化ドメイン、色素記録マークによる管理情報記録を加えても良い。この際、追記される管理情報は、管理情報領域内で偏向パターンで形成されている領域とは異なる領域に記録される。このような光記録媒体の情報を再生する場合は、偏向パターンによる管理情報の再生に加えて、各種光記録媒体特有の記録モードにより記録された管理情報を再生した後にピットやドメイン等の記録マークからなるユーザー情報を読み出すことになる。なお、本明細書において、用語「記録マーク」とは、情報が熱または光により記録されることによって、状態変化または化学的変化により情報が形成された部分を意味し、相変化ドメイン、色素ドメイン（マーク）を含み、反射率変化による情報再生可能なものを含む。また、プリピットとは原盤露光時に形成される記録ピットのことを意味する。
【００３４】
本発明の第５の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報がプリピットとして形成されたプリピット形成領域とで構成されている再生専用媒体、相変化記録媒体または色素記録媒体を用い、前記偏向部形成領域及び前記プリピット形成領域の管理情報を再生した後に、前記ユーザー情報を再生することを特徴とする光記録媒体の再生方法が提供される。
【００３５】
本発明の第６の態様に従えば、光記録媒体に記録されたユーザー情報を含むユーザー情報領域と管理情報を含む管理情報領域とを前記光記録媒体上の互いに異なる領域に備えた光記録媒体の再生方法であって、前記光記録媒体として、前記管理情報領域に案内溝が形成され、前記管理情報領域が、前記案内溝の側壁の一部をトラックの径方向に偏向させることにより形成された偏向部として管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられているており、さらに、前記管理情報領域の管理情報がＣＡＶフォーマットで記録された光記録媒体を用い、前記光記録媒体をＣＡＶ駆動させつつ前記偏向部から管理情報を再生した後に、前記ユーザー情報領域のユーザー情報を再生することを特徴とする光記録媒体の再生方法が提供される。
【００３６】
本発明の光記録媒体では、図２示すように、記録トラックを挟んで隣接する偏向トラックにそれぞれ形成された偏向パターン同士が互いにトラックの径方向に対向しないようにオフセットして偏向パターンを配置するために、管理情報領域の管理情報をＣＡＶ（Ｃｏｎｓｔａｎｔ  Ａｎｇｕｌａｒ  Ｖｅｌｏｃｉｔｙ）フォーマットに従って記録することが好ましい。管理情報をＣＬＶフォーマットで記録する場合は、隣接する偏向トラックの偏向パターン同士の位置関係が光ディスク内周から外周に向かって次第にずれる。そのため、ＣＬＶフォーマットで記録する場合には、各偏向パターンの記録トラックに対するトラック方向前後の位置関係を予め設定してから偏向トラックに偏向パターンを形成する必要が生じる。このため、ＣＬＶフォーマットでは効率よく記録することは容易ではない。しかしながら、ＣＡＶ記録は等角速度記録で情報を記録するので、隣接する偏向トラックに形成された偏向パターン同士のトラックの径方向における位置関係の設定が容易になる。隣接する偏向トラックの偏向パターン同士の位置関係は、例えば、原盤露光の際に露光レーザをＣＡＶ駆動することにより簡単に制御することができる。管理情報領域の偏向パターンをＣＡＶフォーマットで記録することにより、管理情報の再生時に光ディスクの回転数を一定にしたまま再生可能になるので、管理情報再生の応答性を高速化することができる。一方、ユーザー情報領域は、ＣＬＶフォーマット、ＣＡＶフォーマットまたはゾーン分割したＣＬＶフォーマット若しくはＣＡＶフォーマットなど任意のフォーマットで記録しても良い。
【００３７】
本発明の第７の態様に従えば、光記録媒体であって、前記光記録媒体上に設けられたユーザー情報を含むユーザー情報領域と、前記ユーザー情報領域とは異なる光記録媒体上の領域に設けられた管理情報を含む管理情報領域とを備え、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記ユーザー情報が記録マークで記録されており、前記偏向部から管理情報が再生された後に、前記ユーザー情報が再生されることを特徴とする光記録媒体が提供される。
【００３８】
本発明の第８の態様に従えば、光記録媒体であって、前記光記録媒体上に設けられたユーザー情報を含むユーザー情報領域と、前記ユーザー情報領域とは異なる光記録媒体上の領域に設けられた管理情報を含む管理情報領域とを備え、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成部領域とは別の場所に位置し且つ管理情報が記録マークで形成された記録マーク形成領域とで構成されており、前記ユーザー情報が記録マークとして記録されており、前記偏向部形成領域及び前記記録マーク形成領域の管理情報が再生された後に、前記ユーザー情報が再生されることを特徴とする光記録媒体が提供される。
【００３９】
本発明の第９の態様に従えば、光記録媒体であって、前記光記録媒体上に設けられたユーザー情報を含むユーザー情報領域と、前記ユーザー情報領域とは異なる光記録媒体上の領域に管理情報を含む管理情報領域とを備え、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられている偏向部形成領域と、該偏向部形成領域とは別の場所に位置し且つ管理情報がプリピットで形成されたプリピット形成領域とで構成されており、前記ユーザー情報が記録マークとして記録されており、前記偏向部形成領域及び前記プリピット形成領域の管理情報が再生された後に、前記ユーザー情報が再生されることを特徴とする光記録媒体が提供される。
【００４０】
本発明の第１０の態様に従えば、光記録媒体であって、前記光記録媒体上に設けられたユーザー情報を含むユーザー情報領域と、前記ユーザー情報領域とは異なる光記録媒体上の領域に管理情報を含む管理情報領域とを備え、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記案内溝間のランド部に少なくとも一つのプリピットが形成されており、前記偏向部から管理情報が再生された後に、前記ユーザー情報が再生されることを特徴とする光記録媒体が提供される。
【００４１】
本発明の第１１の態様に従えば、光記録媒体であって、前記光記録媒体上に設けられたユーザー情報を含むユーザー情報領域と、前記ユーザー情報領域とは異なる光記録媒体上の領域に管理情報を含む管理情報領域とを備え、前記管理情報領域に案内溝が形成され、前記管理情報が前記案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記管理情報領域がＣＡＶフォーマットで記録されており、前記偏向部から管理情報が再生された後に、前記ユーザー情報が再生されることを特徴とする光記録媒体が提供される。
【００４２】
本発明の第１２の態様に従えば、再生専用光記録媒体であって、前記光記録媒体上に設けられたユーザー情報を含むユーザー情報領域と、前記ユーザー情報領域とは異なる光記録媒体上の領域に管理情報を含む管理情報領域とを備え、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた領域で構成され、或いは、案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた偏向部形成領域と、該偏向部形成領域とは別の場所に位置し且つ管理情報がプリピットで形成されている領域とで構成されており、前記ユーザー情報が記録マーク或いはプリピットで記録されており、前記管理情報領域の管理情報が再生された後に、前記ユーザー情報が再生されることを特徴とする再生専用光記録媒体が提供される。
【００４３】
本発明の第１３の態様に従えば、再生専用光記録媒体であって、前記光記録媒体上に設けられたユーザー情報を含むユーザー情報領域と、前記ユーザー情報領域とは異なる光記録媒体上の領域に管理情報を含む管理情報領域とを備え、前記管理情報領域に案内溝が形成され、前記管理情報領域が、前記案内溝の側壁の一部をトラックの径方向に偏向させることにより形成された偏向部として前記管理情報が記録され、前記偏向部がトラックの周方向に複数に分散して形成され、且つ、互いに隣接する案内溝にそれぞれ形成された前記偏向部がトラックの径方向に互いに対向しない位置にオフセットされて設けられた領域で構成されており、前記ユーザー情報が記録マーク或いはプリピットで記録されており、前記偏向部から管理情報が再生された後に、前記ユーザー情報が再生されることを特徴とする再生専用光記録媒体が提供される。
【００４４】
本発明の第１４の態様に従えば、再生専用光記録媒体であって、前記光記録媒体上に設けられたユーザー情報を含むユーザー情報領域と、前記ユーザー情報領域とは異なる前記光記録媒体上の領域に管理情報を含む管理情報領域とを備え、前記管理情報領域に案内溝が形成され、前記管理情報が案内溝の側壁の一部をトラックの径方向に偏向させることにより形成された偏向部として記録され、前記偏向部がトラックの周方向に複数に分散して形成され、且つ、互いに隣接する案内溝にそれぞれ形成された前記偏向部がトラックの径方向に互いに対向しない位置にオフセットされて設けられており、前記案内溝間のランド部に少なくとも一つのプリピットが形成されており、前記偏向部から管理情報が再生された後に、前記ユーザー情報が再生されることを特徴とする再生専用光記録媒体が提供される。
【００４５】
本発明の第１５の態様に従えば、光記録媒体に情報を記録または再生するための光ヘッドと、該光ヘッド駆動するための駆動装置とを備えた記録再生装置であって、前記記録再生装置が、前記光記録媒体のトラックの径方向に少なくとも２分割された受光部を有する光検出器と、少なくとも２分割された受光部からそれぞれ得られる検出信号の差分を用いて管理情報を再生するとともに前記光ヘッドのサーボ制御を行うサーボ制御回路と、前記サーボ制御回路から得られる管理情報により前記光記録媒体を識別するとともに、前記サーボ制御回路を該識別情報に基づいて制御するコントローラとを有することを特徴とする記録再生装置が提供される。
【００４６】
【発明を実施する形態】
以下に、本発明の光記録媒体の再生方法、光記録媒体及び光記録媒体の記録再生装置について実施例を用いて具体的に説明するが、本発明はこれに限定されない。
【００４７】
【実施例１】
実施例１では追記型の光ディスクを作製した。この例で作製した情報記録後の追記型光ディスクのトラックフォーマットの概略平面図を図１０に示す。図１０（ａ）に示すように、この例で作製した光ディスク１００は内周側に管理情報を含む管理情報領域１０１を備え、その外側にユーザー情報を含むユーザー情報領域１０２を備えた構造を有する。図１０（ｂ）は、管理情報領域１０１とユーザー領域１０２との境界部を拡大した図である。図１０（ｂ）に示すように、偏向トラック１０３の一部の溝壁部にはトラックの径方向に偏向された偏向パターン１０４が形成され、且つ、偏向パターン１０４はトラックの周方向に複数に分散して形成されている。この偏向パターン１０４は光ディスク１００を駆動するために必要な管理情報に対応して変調させて記録されている。それゆえ、偏向トラックに記録される管理情報が各偏向トラックで異なる場合には、図１０（ｂ）中の偏向パターン１０４及び１０７に示すように、各偏向トラックに形成された偏向パターンは偏向トラック毎に異なる偏向パターンとなる。また、図１０（ｂ）中の偏向パターン１０４及び１０７の位置関係に示すように、記録トラックを挟んで隣接する偏向トラック間では、それぞれの偏向トラックに形成される偏向パターン同士が記録トラックを挟んでトラックの径方向に互いに対向しないようにオフセットして配置されている。一方、ユーザー情報領域１０２では、ユーザー情報をウォブル状のグルーブ１０６上に記録ピット１０８として記録されている。この例では、管理情報領域１０１の偏向トラック１０３の溝深さをユーザー領域１０２に形成されたウォブル状のグルーブ１０６の溝深さに合わせて、λ／８（λ：再生光の基板内波長）とした。ただし、この溝深さは記録層を基板上に堆積した状態における実効値であり、原盤形成時の溝深さはλ／４付近に設定される。
【００４８】
この例で作製した追記型光ディスク１００の膜構成の概略断面図を図１１に示す。図１１に示すように、この例で作製した光ディスク１００は、第１透明基板１１１上に、記録層１１２、反射層１１３、接着層１１４及び第２透明基板１１５が順次形成された膜構成を有する。この追記型光ディスク１００では第１透明基板１１１の方から光が入射され情報の記録再生が行われる。
【００４９】
以下に、この例で作製した追記型光ディスクの作製方法を説明する。まず、厚さ６ｍｍ、外径２００ｍｍの表面を研磨したガラス原盤或いは石英原盤を洗浄して乾燥させる。次いで、シランカップリング剤やプライマーを原盤表面に塗布後、光感光性樹脂であるフォトレジスト樹脂液を塗布した。フォトレジストを原盤表面に塗布した後、高速回転させて余分なレジスト樹脂を振り切り、９０℃で１０分程度ベークして厚さ９０ｎｍのフォトレジスト膜を有するレジスト原盤を作製した。
【００５０】
このレジスト原盤を、波長５１４ｎｍのＡｒイオンレーザを光源とし、２次高調波発生器（ＳＨＧ）を介して波長２５７ｎｍのＤｅｅｐ  ＵＶで記録するレーザカッティング装置のスピンドルに装着する。次いで、原盤中心から半径２２．０ｍｍの位置から外側に向かって半径５９．０ｍｍまでＣＡＶ制御でレジスト原盤を逆時計回り（ＣＣＷ）方向に回転させ、レーザカッティング光学系をスピンドル１回転毎に０．４０μｍ外周側に移動させながら露光した。偏向トラックの溝壁面に形成する偏向パターンを露光する際には、例えば、管理情報の信号に基づいて、露光ビームを原盤の径方向に、断続的に偏向させながら照射して偏向パターンを形成する。露光ビームを原盤の径方向に偏向する方法としては、例えば、露光ビームの集光レンズへの入射角度を、ＡＯ変調器などで所定量だけ原盤の内周側または外周側にずらす方法がある。この例では、波長２５７ｎｍのＳＨＧレーザビームを偏向パターン信号に同期・重畳して偏向素子を通し、管理情報領域の管理情報を所定位置に偏向パターンとして露光した。また、原盤を周回するそれぞれの環状露光パターンで、隣接する環状露光パターンに形成された偏向露光パターン同士が互いにトラックの径方向に対向する位置に配置されないように断続的に露光した。この露光方法により、管理情報に対応する偏向露光パターンが、原盤の径方向に対して互いに隣接しないようにトラックの周方向に複数に分散して形成された。続いて、ユーザー情報領域をウォブル状の溝パターンを露光した。露光終了後、レジスト原盤をアルカリ溶液で現像すると、図１２に示すようなユーザー情報が記録される前の追記型光ディスク１００のトラックフォーマットが形成された原盤が得られた。この例では、偏向トラックの平均幅０．１８μｍとした。
【００５１】
管理情報領域に偏向パターンが形成された側の原盤表面に導電膜を形成した後、Ｎｉメッキを行ないＮｉスタンパを作製した。次いで、Ｎｉスタンパの凹凸パターンが形成されていない側の表面を研磨した後、打抜きして原盤からＮｉスタンパを剥離すると、原盤に形成された偏向パターンが反転した凹凸パターンを表面に有するＮｉスタンパが得られた。
【００５２】
次に、作製されたＮｉスタンパを基板成形用金型に装着した。この際、基板成形用金型は８０℃まで昇温しておき、Ｎｉスタンパ押えを用いて、偏芯１０μｍ以下に調整してＮｉスタンパを固定した。次いで、基板成形用金型を１１５℃まで昇温した後、約３８０℃で溶融したポリカーボネート樹脂を３１０℃に設定したノズル先端から基板成形用金型内のキャビティに射出した。数秒冷却保持した後に成形基板を取り出し、搬送ステーションに移した。この例で作製した成形基板の厚さは０．６ｍｍとした。こうして、図１２に示すように、管理情報が偏向パターン１０４及び１０７として記録されている光ディスク１００の第１透明基板１１１が成形された。
【００５３】
上記プロセスで成形された第１透明基板１１１上に、まず、記録層１１２として有機色素材料をスピンコート法により３０〜５０ｎｍの膜厚で堆積させた。なお、有機色素材料はアゾ系色素を溶剤に溶解することにより調整した。次に、記録層１１２上に、反射層１１３としてアルミニウム、銀合金、アルミニウム合金などの金属膜をスパッタで８０〜１００ｎｍの膜厚で堆積させた。次に、反射層１１３及び記録層１１２が積層されていた第１透明基板１１１をスピンナテーブル上に置き、反射層１１３上に粘度７００ｍＰａ／ｓの紫外線（ＵＶ）硬化型樹脂をドーナツ状に塗布し、７０００ｒｐｍ以上の高速で振り切り反射層１１３上に約１１μｍの厚みで均一に広げた。反射層１１３上に塗布されたＵＶ硬化型樹脂上に第２透明基板１１５を載置して、第２透明基板側からＵＶ光を照射してＵＶ硬化型樹脂を十分に硬化させることにより接着層１１４を形成した。こうして、追記型光ディスク１００が得られた。
【００５４】
次に、この例で作製した追記型光ディスク１００に情報を記録及び／または再生するための記録再生装置について説明する。図１３に、本発明の記録再生装置１３０の概略構成図を示した。記録再生装置１３０は、主に、光ヘッド１３１、レーザ駆動回路１３２、サーボ制御回路１３３、記録再生信号処理回路１３４、スピンドルモータ１３５、回転制御回路１３６及びコントローラ１３７を備える。
【００５５】
スピンドルモータ１３５は、ターンテーブル上に載置された光ディスク１００を所定回転数で回転させることができる。スピンドルモータ１３５の回転数は回転制御回路１３６により制御される。サーボ制御回路１３３は、光ヘッド１３１により検出されるフォーカスエラー信号やトラッキングエラー信号に基づいて、光ヘッド１３１の光ディスク１００上の位置や光ヘッド１３１に搭載されているレンズの光軸方向の位置等を制御して、光ヘッド１３１からのレーザ光を光ディスク１００上の所望の位置に位置付けることができる。コントローラ１３３は、光ヘッド１３１によりプッシュプル信号として読み出された光ディスク１００の管理情報をサーボ制御回路１３３を介して取得し、その管理情報に基づいてサーボ制御回路１３３及び回転制御回路１３６を制御することができる。
【００５６】
光ヘッド１３１は、記録または再生用のレーザ光を光ディスク１００に照射するためのレーザ光源と、レーザ光を光ディスク１００上に集光するためのレンズと、光ディスク１００からの戻り光（反射回折光）を検出するための光検出器を備えることができる（いずれも不図示）。光検出器には、例えば分割検出器を用いることができる。光検出器の一例として、図３に、トラックの径方向に２分割された受光部Ｒ及びＬを有するフォトディテクタ３１を模式的に示した。図３に示したように、フォトディテクタ３１は、偏向されたトラックに対してその径方向に２分割された受光部Ｒ及びＬを有し、それぞれ、光ディスクのトラック中心に対して外周側領域と内周側領域からの反射回折光を検出することができる。図３に示すようなフォトディテクタ３１では、光ディスクの管理情報領域の偏向トラック上を光ヘッド１３１で走査すると、フォトディテクタの受光部Ｒ及びＬで戻り光信号が検出され、その検出信号の差信号が偏向パターンから得られる偏向信号として検出することができる。検出された偏向信号は図１３中のサーボ制御回路１３３を通してコントローラ１３７に送られて、管理情報が再生される。
【００５７】
次に、この例で作製した追記型光ディスクのユーザー情報領域にユーザー情報の記録を行った。図１４に記録のシーケンスを示す。まず、この例で作製した追記型光ディスクを図１３に示した記録再生装置に装着し、光ディスクを装置内へロードする。次いで、光ディスクを回転させ、記録再生装置内のレーザをＯＮにしてフォーカスサーボを作動させる。次に、光ディスクの管理情報領域に光ヘッドをアクセスしてトラッキングサーボを作動させるとともに、ディスク回転の同期を図る。その後、管理情報領域に偏向パターンとして記録された管理情報をプッシュプル信号で読み込む。管理情報から媒体の種類を判別し記録条件を設定する。管理情報を再生した後、ユーザー領域にアクセスして目的トラックでトラッキングを行う。そして、トラッキングサーボを動作させながらユーザー情報をユーザー情報領域のグルーブ上に記録ピットとして記録する。ユーザー情報を記録した後、ユーザー情報に関する管理情報をユーザー情報領域に記録する。最後に、トラッキングサーボ及びレーザをＯＦＦにして光ディスクを記録再生装置からアンロードする。このようなシーケンスで記録することにより、図１０（ｂ）に示すように、ユーザー情報領域にユーザー情報がピットとして記録された追記型光ディスクが得られた。
【００５８】
次に、上記記録シーケンスでユーザー情報が記録された追記型光ディスクの情報再生を行った。図１５に本発明における再生のシーケンスを示す。まず、ユーザー情報が記録済みの追記型光ディスクを図１３に示した記録再生装置に装着し、光ディスクを装置内にロードする。次いで、光ディスクを回転させ、記録再生装置内のレーザをＯＮにしてフォーカスサーボを作動させる。次に、光ディスクの管理情報領域に光ヘッドをアクセスして、トラッキングサーボを作動させるとともに、ディスク回転同期を図る。その後、管理情報領域に偏向パターンとして記録された管理情報をプッシュプル信号で読み込む。管理情報から媒体の種類を判別するとともに、光ディスクが正規許諾媒体であるか違法媒体であるかを判別する。この判別は、例えば図３中のコントローラ３３で行われる。ここで、管理情報領域の管理情報が偏向パターンでなく記録マークなどにより記録されていた場合には、偏向パターンで得られる正規のプッシュプル信号と異なるプッシュプル信号がトラッキングサーボ回路から得られ、その光ディスクは不正複製された違法媒体として認識され、プレーヤーから排出される。一方、光ディスクが正規許諾媒体と判断された場合には、その後、ユーザー領域にアクセスして目的トラックでトラッキングを行う。そして、トラッキングサーボを動作させながらユーザー情報を読み出し再生する。再生終了後、トラッキングサーボ及びレーザをＯＦＦにして光ディスクを記録再生装置からアンロードする。このような再生シーケンスでこの例で作製した追記型光ディスクの情報再生を行った。
【００５９】
【実施例２】
実施例２では書き換え型の光ディスクを作製した。この例で作製した情報記録後の書き換え型光ディスクのトラックフォーマットの概略平面図を図１６に示す。この例で作製した書き換え型光ディスク１６０は、図１６（ａ）に示すように、実施例１と同様に内周側に管理情報を含む管理情報領域１６１を備え、その外側にユーザー情報を含むユーザー情報領域１６２を備えている。図１６（ｂ）は、管理情報領域１６１とユーザー領域１６２との境界部を拡大した図である。図１６（ｂ）に示すように、偏向トラック１６３の一部の溝壁部にはトラックの径方向に偏向された偏向パターン１６４が形成され、且つ、その偏向パターン１６４はトラックの周方向に複数に分散して形成されている。また、図１６（ｂ）中の偏向パターン１６４及び１６７の位置関係に示すように、記録トラックを挟んで隣接する偏向トラック間では、それぞれの偏向トラック１６５に形成される偏向パターンが記録トラック１６５を挟んでトラックの径方向に互いに対向しないようにオフセットして配置されている。一方、ユーザー情報領域１６２では、この例で作製した光ディスクは書き換え可能な媒体であるので、記録層は相変化材料で形成されており、ユーザー情報領域１６２のユーザー情報は、ウォブル状のグルーブ１６６上に記録層の結晶構造の変化による記録ドメイン１６８として記録されている。また、この例では、管理情報領域１６１の偏向トラック１６３の溝深さをユーザー領域１６２に形成されたウォブル状のグルーブ１６６の溝深さに合わせて、λ／８（λ：再生光の基板内波長）とした。
【００６０】
この例で作製した書き換え型光ディスク１６０の膜構成の概略断面図を図２３に示す。図２３に示すように、この例で作製した光ディスク１６０は、片面２層の書き換え型光ディスクであり、透明基板２４５上に、誘電体保護層２４４、界面層２４３、第１記録層２４２、界面層２４１、誘電体保護層２４０、第１反射層２３９、接着層２３８、誘電体保護層２３７、界面層２３６、第２記録層２３５、界面層２３４、誘電体保護層２３３、第２反射層２３２及び基板２３１が順次積層された膜構成を有する。この片面２層の書き換え型光ディスク１６０では透明基板２４５の方から光が入射され情報の記録再生が行われる。
【００６１】
以下に、この例で作製した片面２層の書き換え型光ディスク１６０の作製方法を説明する。まず、基板２３１は実施例１で説明した第１透明基板１１１の成形プロセスで同様にして作製した。基板２３１上に、まず、第２反射層２３２としてアルミニウム、銀合金、アルミニウム合金などの金属膜をスパッタで３０ｎｍ以上の膜厚で堆積させた。次いで、第２反射層２３２上に、誘電体保護層２３３としてＺｎＳ−ＳｉＯ２を堆積させ、誘電体保護層２３３上に界面層２３４としてＧｅＮを堆積させた。次いで、界面層２３４上に、第２記録層２３５として相変化材料ＡｇＩｎＳｂＴｅをスパッタ法により１５〜２５ｎｍの膜厚で堆積させた。さらに、第２記録層２３５上に、界面層２３６としてＧｅＮを堆積させ、界面層２３６上に誘電体保護層２３７としてＺｎＳ−ＳｉＯ２を堆積させた。次に、第２反射層２３２や第２記録層２３５などの層が積層された基板２３１をスピンナテーブル上に置き、誘電体保護層２３７上に粘度７００ｍＰａ／ｓの紫外線（ＵＶ）硬化型樹脂をドーナツ状に塗布し、７０００ｒｐｍ以上の高速で振り切り、誘電体保護層２３７上に約１１μｍの厚みで均一に広げた。
【００６２】
また、基板２３１上に形成されたトラックフォーマットと同じトラックフォーマットが表面に形成された厚さ０．６ｍｍの透明基板２４５を上記基板２３１の成形プロセスと同様の方法で作製した。次いで、透明基板２４５のトラックフォーマットが形成されている側に、誘電体保護層２４４としてＺｎＳ−ＳｉＯ２を堆積させ、誘電体保護層２４４上に界面層２４３としてＧｅＮを堆積させた。次に、界面層２４３上に、第２記録層２３５と同様に、第１記録層２４２として相変化材料ＡｇＩｎＳｂＴｅをスパッタ法により５〜１０ｎｍの膜厚で堆積させた。さらに、第１記録層２４２上に、界面層２４１としてＧｅＮを堆積させ、誘電体保護層２４０としてＺｎＳ−ＳｉＯ２を堆積させた。次に、誘電体保護層２４０上に、第１反射層２３９として、銀合金の金属膜をスパッタリングで５ｎｍ程度の膜厚で堆積させた。ここで、第１反射層２３９は耐蝕性及び光学特性を考慮して５ｎｍ程度の薄い膜で構成するのが好ましい。次いで、基板２３１を装着したスピンナテーブルとは別のスピンナテーブル上に透明基板２４５を装着し、第１反射層２３９上に粘度７００ｍＰａ／ｓのＵＶ硬化型樹脂をドーナツ状に塗布し、７０００ｒｐｍ以上の高速で振り切り第１反射層２３９上に約１１μｍの厚みで均一に広げた。ただし、この例では、第１記録層２４２と第２記録層２３５を同じ材料で構成したが、異なる材料で構成しても良い。
【００６３】
次に、ＵＶ硬化型樹脂をそれぞれ塗布した前記の基板２３１及び透明基板２４５をＵＶ硬化型樹脂塗布面が対向するように真空チャンバーに保持し、チャンバー内を減圧した後、基板２３１と透明基板２４５の互いのＵＶ効果樹脂面を貼合せて加圧した。チャンバー内を大気圧に戻した後、透明基板２４５側からＵＶ光を照射してＵＶ硬化型樹脂を十分に硬化させて接着層２３８を形成した。次に、インライン検査機で接着層２３８の厚み、傷及びチルトを全数測定し、規格外品を工程から除いた。こうして、接着層２３８の厚み２０±５ｎｍで管理された片面２層の書き換え型光ディスク１６０が得られた。
【００６４】
【実施例３】
実施例３ではランダムに書き換え可能な光ディスクを作製した。この例で作製した情報記録後の光ディスクのトラックフォーマットの概略平面図を図１７に示す。この例で作製したランダムに書き換え可能な光ディスク１７０は、図１７（ａ）に示すように、実施例１と同様に内周側に管理情報を含む管理情報領域１７１を備え、その外側にユーザー情報を含むユーザー情報領域１７２を備えている。図１７（ｂ）は、管理情報領域１７１とユーザー領域１７２との境界部を拡大した図である。図１７（ｂ）に示すように、偏向トラック１７３の一部の溝壁部にはトラックの径方向に偏向された偏向パターン１７４が形成され、且つ、偏向パターン１７４はトラックの周方向に複数に分散して形成されている。また、図１７（ｂ）中の偏向パターン１７４及び１７６の位置関係に示すように、記録トラック１７５を挟んで隣接する偏向トラック間では、それぞれの偏向トラックに形成される偏向パターンが記録トラック１７５を挟んでトラックの径方向に互いに対向しないようにオフセットして配置されている。
【００６５】
一方、ユーザー情報領域１７２では、この例で作製した光ディスクは書き換え可能な媒体であるので、記録層は相変化材料で形成されており、ユーザー情報領域１７２のユーザー情報は、ウォブル状のグルーブ１７６及びランド１７９の両方に記録層の結晶構造の変化による記録ドメイン１７９として記録されている。すなわち、この例で作製したランダムアクセス可能な書き換え型光ディスク１７０の記録形態はランド・グルーブ記録である。また、この例では、管理情報領域１７１の偏向トラック１７３の溝深さをユーザー領域１７２に形成されたウォブル状のグルーブ１７６の溝深さに合わせて、λ／８（λ：再生光の基板内波長）とした。
【００６６】
この例で作製したランダムアクセス可能な書き換え型光ディスクの膜構成は、実施例２と同様に、図２３で示した膜構成と同じであり、その作製方法は、第１及び第２記録層として相変化材料ＢｉＧｅＴｅをスパッタ法により５〜１５ｎｍの膜厚でそれぞれ形成した以外は、実施例２と同様に作製した。なお、ＢｉＧｅＴｅ系以外の相変化材料としては、ＳｎＢｉＧｅＴｅ、ＧｅＳｎＴｅ、ＳｎＧｅＳｂＴｅが挙げられる。また、この例で作製された光ディスク１７０は、図１３に示した記録再生装置を用いて、実施例１と同様の記録シーケンス及び再生シーケンスで情報の記録及び再生を行った。
【００６７】
【実施例４】
実施例４では再生専用光ディスクを作製した。この例で作製した再生専用光ディスクのトラックフォーマットの概略平面図を図１８に示す。この例で作製した再生専用光ディスク１８０は、図１８（ａ）に示すように、実施例１と同様に内周側に管理情報を含む管理情報領域１８１を備え、その外側にユーザー情報を含むユーザー情報領域１８２を備えている。図１８（ｂ）は、管理情報領域１８１とユーザー領域１８２との境界部を拡大した図である。図１８（ｂ）に示すように、偏向トラック１８３の一部の溝壁部にはトラックの径方向に偏向された偏向パターン１８４が形成され、且つ、その偏向パターン１８４はトラックの周方向に複数に分散して形成されている。また、図１８（ｂ）中の偏向パターン１８４及び１８７の位置関係に示すように、記録トラック１８６を挟んで隣接する偏向トラック間では、それぞれの偏向トラックに形成される偏向パターンが記録トラック１８６を挟んでトラックの径方向に互いに対向しないようにオフセットして配置されている。この例では、管理情報領域１８１の偏向トラック１８３の溝深さをユーザー領域１８２に形成されたプリピット１８８の深さに合わせて、λ／４（λ：再生光の基板内波長）とした。
【００６８】
また、この例で作製した光ディスク１８０の管理情報領域１８１では、図７及び図１８（ｂ）に示すように、偏向トラック間の記録トラック１８６上にトラックの周方向に均一に等間隔でプリピット１８５を形成した。記録トラック１８６の周方向に複数のプリピット１８５を均一に等間隔で配置することにより、記録トラック１８６の光学的な実効高さを低下させることができる。これにより、実効上の溝深さを低減させることができ、偏向トラックの溝深さを実効上λ／４より浅くすることができ、偏向パターンからプッシュプル信号が得られる。この効果を得るためには、プリピット径及びプリピットも配置ピッチ等のパラメータを調整して再生光のスポット内に複数のプリピットが入るようにする必要がある。この例では、再生光のビーム径６００ｎｍ（λ／ＮＡ，ＮＡ：開口数）に対して、プリピット１８５の径を２００ｎｍとし、プリピット１８５の配置ピッチを３００ｎｍとした。ただし、本発明はこれに限定されるものではなく、プリピット径及びプリピットも配置間隔は、溝深さがλ／８〜λ／６の時に得られるプッシュプル信号と同等の信号が得られるように最適化される。
【００６９】
一方、この例で作製した再生専用光ディスクのユーザー情報領域１８２では、図１８（ｂ）に示すように、ユーザー情報をプリピット１８８で形成した。このプリピット１８８は原盤露光時に作製される。
【００７０】
図１９に、この例で作製した再生専用光ディスク１８０の膜構成の概略断面図を示す。図１９に示すように、図１９に示すように、この例で作製した光ディスク１８０は、第１透明基板１９１上に、反射層１９２、接着層１９３及び第２透明基板１９４を堆積させた膜構成を有する。この例の再生専用光ディスク１６０では第１透明基板１９１側から光が入射され情報の記録再生が行われる。
【００７１】
この例における再生専用光ディスク１８０の作製方法は、第１透明基板１９１と反射層１９２との間に記録層を形成しないこと及び基板上にユーザー情報をプリピットで形成すること以外は、実施例１と同様に作製した。ただし、管理情報領域１８１のトラックフォーマットを原盤露光時に作製する場合、２条の露光ビームを同期させて露光した。一方の露光ビームでは偏向素子により、管理情報に従ってトラックの径方向に断続的に偏向させながら偏向パターン１８４を形成し、他方の露光ビームは記録トラックの中心をトレースするように配置され、連続パルスで強度変調する光学素子を経由してプリピット１８６を形成した。また、この例で作製された再生専用光ディスク１８０は、図１３に示した記録再生装置を用いて、実施例１と同様の再生シーケンスで情報の再生を行った。
【００７２】
【実施例５】
実施例５では再生専用光ディスクを作製した。この例で作製した再生専用光ディスクのトラックフォーマットの概略平面図を図２０に示す。この例で作製した再生専用光ディスク２００は、図２０（ａ）に示すように、実施例１と同様に内周側に管理情報を含む管理情報領域２０１を備え、その外側にユーザー情報を含むユーザー情報領域２０２を備えている。図２０（ｂ）は、管理情報領域２０１とユーザー領域２０２との境界部を拡大した図である。図２０（ｂ）に示すように、偏向トラック２０３の一部の溝壁部にはトラックの径方向に偏向された偏向パターン２０４が形成され、且つ、偏向パターン２０４はトラックの周方向に複数に分散して形成されている。また、図２０（ｂ）中の偏向パターン２０４及び２０７の位置関係に示すように、記録トラック２０５を挟んで隣接する偏向トラック間では、それぞれの偏向トラックに形成される偏向パターンが記録トラック２０５を挟んでトラックの径方向に互いに対向しないようにオフセットして配置されている。
【００７３】
この例では、管理情報領域２０１の偏向トラック２０３の溝深さをユーザー領域２０２に形成されたプリピット２０８の深さに合わせて、λ／４（λ：再生光の基板内波長）とした。また、この例で作製した再生専用光ディスクでは、図２０（ｂ）に示すように、管理情報領域２０１に形成された偏向トラック２０３の幅は記録トラック２０５の幅より狭く形成されている。図２０（ｂ）に示すように、偏向トラック２０３の幅を隣接する記録トラック２０５の幅より狭くすることにより、偏向トラック２０３の深さがλ／４であっても、偏向パターン２０４で形成された管理情報を図３に示すような２分割フォトディテクタからの検出信号の差信号として検出することができる。この例では、偏向トラックの幅を偏向トラックと記録トラックの合計幅の３５％で形成したが、偏向トラックの幅は偏向トラックと記録トラックの合計幅の２０％〜４５％の範囲で形成することが好ましい。
【００７４】
一方、この例で作製した再生専用光ディスクのユーザー情報領域２０２では、図２０（ｂ）に示すように、ユーザー情報をプリピット２０８で形成した。このプリピット２０８は原盤露光時に作製される。
【００７５】
この例における再生専用光ディスクの作製方法は、第１透明基板１９１と反射層１９２との間に記録層を形成しないこと及び基板上にユーザー情報をプリピットで形成すること以外は、実施例１と同様に作製した。また、この例で作製した再生専用光ディスクは、図１３に示した記録再生装置を用いて実施例１と同様の再生シーケンスで情報の再生を行った。
【００７６】
【実施例６】
実施例６では追記型光ディスクを作製した。この例で作製した再生専用光ディスクのトラックフォーマットの概略平面図を図２１に示す。この例で作製した追記型光ディスク２１０は、図２１（ａ）に示すように、実施例１と同様に内周側に管理情報を含む管理情報領域２１１を備え、その外側にユーザー情報を含むユーザー情報領域２１２を備えている。図２１（ｂ）は、管理情報領域２１１とユーザー領域２１２との境界部を拡大した図である。図２１（ｂ）に示すように、偏向トラック２１３の一部の溝壁部にはトラックの径方向に偏向された偏向パターン２１４を形成し、且つ、その偏向パターン２１４をトラックの周方向に複数に分散して形成した。また、図２１（ｂ）中の偏向パターン２１４及び２１７の位置関係に示すように、記録トラック２１５ａを挟んで隣接する偏向トラック間では、それぞれの偏向トラックに形成される偏向パターンが記録トラック２１５ａを挟んでトラックの径方向に互いに対向しないようにオフセットして配置した。この例では、管理情報領域２１１の偏向トラック２１３の溝深さをユーザー領域２１２に形成されたウォブルグルーブ２１８の溝深さに合わせて、λ／８（λ：再生光の基板内波長）とした。ただし、この溝深さは記録層を基板上に堆積した状態における実効値であり、原盤形成時の溝深さはλ／４付近に設定される。
【００７７】
また、この例で作製した光ディスク２１０の管理情報領域２１１では、図９及び図２１（ｂ）に示すように、偏向トラックに形成された偏向パターン２１７の一部の両側に隣接する記録トラック２１５ａ及び２１５ｂの領域に、プリピット２１６を形成した。この例では、図２１（ｂ）に示すように、偏向パターン２１７の偏向パターン列の先端部２１７ａと後端部２１７ｂに隣接する記録トラック２１５ａ及び２１５ｂの領域にそれぞれプリピット２１６を形成した。これにより、偏向パターン２１７の偏向パターン列の先端部２１７ａと後端部２１７ｂから検出される再生信号は、先端部２１７ａと後端部２１７ｂとの間の偏向パターン列の中間部から得られる再生信号とは異なる強度レベルの再生信号が得られ、偏向パターン２１７の先端部２１７ａと後端部２１７ｂの検出信号レベルに対して重み付けを行ったことになる。ただし、この例で示すようなトラックフォーマットは、溝深さがλ／８〜λ／６である記録可能光記録媒体はもちろん溝深さがλ／４である再生専用光記録媒体にも適用可能である。また、この例では、偏向パターン列の先端部と後端部に隣接する記録トラックの領域にそれぞれプリピットを形成したが、本発明はこれに限定されず、管理情報のセキュリティを考慮して様々なプリピットの配置形態が存在する。
【００７８】
一方、この例で作製した追記型光ディスク２１０のユーザー情報領域２１２のユーザー情報は、図２１（ｂ）に示すように、ウォブル状のグルーブ２１８上に記録ピット２１９として記録した。
【００７９】
この例における追記型光ディスク２１０の作製方法は、実施例１と同様に作製した。ただし、管理情報領域２１１のトラックフォーマットを原盤露光時に作製する場合、２条の露光ビームを同期させて露光した。一方の露光ビームでは偏向素子により、管理情報に従ってトラックの径方向に断続的に偏向させながら偏向パターン２１４を形成し、他方の露光ビームは記録トラックの中心をトレースするように配置され、連続パルスで強度変調する光学素子を経由してプリピット２１６を形成した。
【００８０】
また、この例で作製された追記型光ディスク２１０は、図１３に示した記録再生装置を用いて、実施例１と同様の記録シーケンス及び再生シーケンスで情報の記録及び再生を行った。ただし、再生シーケンスにおける光ディスクが正規許諾媒体であるか違法媒体であるかを判定する際には、図２２に示すようなトラッキングサーボ回路で判定した。この例で作製した光ディスク２１０では、偏向パターン列の一部に隣接する記録トラックの領域にプリピットを設けているので、その領域の偏向パターン列の再生信号は、プリピットが隣接する記録トラック領域に存在しない偏向パターン列の部分の再生信号とはその振幅レベルが異なる。それゆえ、この例の光ディスク２１０の判別には、図２２に示すように、偏向パターンの再生情報だけでなく、偏向パターンから検出される信号の振幅も判別要素に加えた。図２２に示すようなトラッキング回路２２０では、トラック方向に対して垂直方向に２分割した受光部を有するフォトディテクタ２２１から得られた検出信号の差信号をウォブリング信号検出器２２２で検出して管理情報をコントローラ２２３で再生するとともに、差信号を真偽判別回路２２４に入力する。さらに、フォトディテクタ２２１から得られた検出信号の和信号を真偽判別回路２２４に入力する。そして、真偽判別回路２２４に入力された差信号と和信号から光ディスクが正規許諾媒体であるか違法媒体であるかを判定する。振幅の判別は、和信号から特定のデータに関して振幅値の変動が観測されるかどうかで判別した。
【００８１】
上記実施例１〜６の光ディスクでは、管理情報領域の管理情報を偏向パターンのみで記録した例を説明したが、本発明はこれに限定されない。光ディスクの種類によっては、その種類に特有の管理情報を必要とする場合がある。例えば、記録膜の構成材料等により記録条件を適宜変更する必要がある。このような場合、各種光ディスク特有の管理情報を記録するには、偏向パターンによる管理情報の記録に加え、各種光ディスク固有の記録状態、例えばプリピットや相変化ドメイン或いは色素記録マークによる管理情報記録を加えても良い。この際、プリピットや相変化ドメインで記録される管理情報は、管理情報領域内で、偏向パターンで形成されている領域とは異なる領域に記録される。例えば、管理情報領域内で内周側に偏向パターンで形成されている領域を形成し、その外側にプリピットや相変化ドメインで記録される管理情報の領域を形成しても良いし、また、逆の構成であっても良い。このような光ディスクの情報を再生する場合は、偏向パターンによる管理情報の再生に加えて、各種光ディスク特有の記録モードにより記録された管理情報を再生した後にピットやドメイン等の記録マークからなるユーザー情報を再生する。
【００８２】
上記実施例１〜６の光ディスクでは、管理情報領域のグルーブを偏向トラックとして用いたが、本発明はこれに限定されず、凹凸パターンを反転させて光ディスクを作製する場合は、ランドを偏向トラックとして用いても良い。
【００８３】
上記実施例１〜６の光ディスクでは、管理情報領域を光ディスクの内周側に形成している例を説明したが、本発明はこれに限定されず、管理情報領域を光ディスクの外周側に形成しても良いし、光ディスクの内周側及び外周側に形成しても良い。
【００８４】
上記実施例１〜６の光ディスクでは、管理情報領域に形成された偏向パターンが矩形状等で形成することができるが、ＦＭ変調や位相変調などでデータを記録する場合は、正弦波形状の偏向パターンでも良い。
【００８５】
上記実施例１〜６では、管理情報を偏向パターンからの戻り光を検出する際、トラックの径方向に２分割された受光部を有するフォトディテクタを用いたが、本発明はこれに限定されず、４分割された受光部を有するフォトディテクタを用いても良い。
【００８６】
【発明の効果】
本発明の光記録媒体の再生方法、光記録媒体及び光記録媒体の記録再生装置によれば、管理情報領域において、光記録媒体を駆動するために必要な管理情報が偏向トラックの側壁の一部をトラックの径方向に偏向させることにより記録され、且つ、その偏向パターンがトラックの周方向に複数に分散して形成され、さらに、記録トラックを挟んで隣接する偏向トラックにそれぞれ形成された偏向パターンが互いに径方向に対向しないようにオフセットして配置される。それゆえ、高密度記録化を図るためにトラックピッチを狭くした場合でも、偏向トラック間の信号干渉の影響を受けずに、管理情報領域に記録された管理情報を良好な再生信号で検出することができる。すなわち、高密度記録化を図るために管理情報領域の溝幅を狭くしてもクロストークが発生しない光記録媒体の再生方法、光記録媒体及び光記録御媒体の記録再生装置が提供される。
【００８７】
また、本発明の光記録媒体の再生方法、光記録媒体及び光記録媒体の記録再生装置によれば、光記録媒体を駆動するために必要な管理情報を含む管理情報領域のトラックフォーマットをＣＡＶフォーマットで記録するので、管理情報再生時に、各トラック毎に光記録媒体の回転速度を変える必要がなくなり、管理情報領域における情報再生時の応答性を高速化することができる。
【００８８】
さらに、本発明の再生方法、光記録媒体及び光記録媒体の記録再生装置によれば、光記録媒体の種類に関係無く、光記録媒体を駆動するために必要な管理情報を含む管理情報領域を偏向トラックで形成することができるので、各種光記録媒体間の互換性が一層高まり、各種記録手段の異なる光記録媒体の管理においてもより信頼性の高い光記録媒体システムを構築することができる。
【図面の簡単な説明】
【図１】従来の光ディスクの概略平面図である。
【図２】本発明の光記録媒体で管理情報が偏向パターンで形成されている管理情報領域の概略斜視図である。
【図３】本発明の光記録媒体の管理情報を検出するためのトラッキングサーボ回路である。
【図４】本発明の光記録媒体で管理情報がアドレス情報である場合の偏向パターンで形成されている管理情報領域の概略斜視図である。
【図５】アドレス情報を偏向パターンで形成したときの、フォトディテクタで検出される偏向パターンのアドレス情報と記録トラックのトラック番号との関係を示したテーブルである。
【図６】本発明の光記録媒体で管理情報が偏向パターンで形成されている管理情報領域の概略斜視図であり、隣接する偏向トラックのそれぞれ形成された偏向パターン間のトラック方向のスペースδＴについて説明するための図である。
【図７】管理情報領域の偏向トラック間に複数のプリピットを形成した本発明の再生専用光記録媒体の概略斜視図である。
【図８】偏向トラックの幅を記録トラックの幅より狭くした本発明の再生専用光記録媒体の概略斜視図である。
【図９】偏向パターン列の一部に隣接する記録トラック領域にプリピットを形成して、偏向パターン列の一部に重み付けを施した本発明の光記録媒体の概略斜視図である。
【図１０】情報記録後の実施例１の追記型光ディスクのトラックフォーマットを示した図であり、図１０（ａ）は追記型光ディスクの概略平面図であり、図１０（ｂ）は管理情報領域とユーザー情報領域の境界部を拡大図した図である。
【図１１】実施例１の追記型光ディスクの膜構成を示す概略断面図である。
【図１２】情報記録前の実施例１の追記型光ディスクのトラックフォーマットを示した図であり、図１２（ａ）は追記型光ディスクの概略平面図であり、図１２（ｂ）は管理情報領域とユーザー情報領域の境界部を拡大図した図である。
【図１３】本発明の記録再生装置の構成図である。
【図１４】本発明の記録シーケンスを示した図である。
【図１５】本発明の再生シーケンスを示した図である。
【図１６】実施例２の書き換え型光ディスクのトラックフォーマットを示した図であり、図１６（ａ）は書き換え型光ディスクの概略平面図であり、図１６（ｂ）は管理情報領域とユーザー情報領域の境界部を拡大図した図である。
【図１７】実施例３のランダムアクセス可能な書き換え型光ディスクのトラックフォーマットを示した図であり、図１７（ａ）はランダムアクセス可能な書き換え型光ディスクの概略平面図であり、図１７（ｂ）は管理情報領域とユーザー情報領域の境界部を拡大図した図である。
【図１８】実施例４の再生専用光ディスクのトラックフォーマットを示した図であり、図１８（ａ）は再生専用光ディスクの概略平面図であり、図１８（ｂ）は管理情報領域とユーザー情報領域の境界部を拡大図した図である。
【図１９】実施例４の再生専用光ディスクの膜構成を示す概略断面図である。
【図２０】実施例５の再生専用光ディスクのトラックフォーマットを示した図であり、図２０（ａ）は再生専用光ディスクの概略平面図であり、図２０（ｂ）は管理情報領域とユーザー情報領域の境界部を拡大図した図である。
【図２１】実施例６の追記型光ディスクのトラックフォーマットを示した図であり、図２１（ａ）は再生専用光ディスクの概略平面図であり、図２１（ｂ）は管理情報領域とユーザー情報領域の境界部を拡大図した図である。
【図２２】実施例６の光ディスクの管理情報を検出するためのトラッキングサーボ回路である。
【図２３】実施例２の書き換え型光ディスクの膜構成を示す概略断面図である。
【符号の説明】
１０，１００，１６０，１８０，２１０  光ディスク
１１，１０１，１６１，１８１，２１１  管理情報領域
１２，１０２，１６２，１８２，２１２  ユーザー情報領域
２２，７２，８２，９２，１０３，１６３，１８３，２１３  偏向トラック
２３，７３，８３，９３，１０５，１６５，１８６，２１５ａ  記録トラック
２４，７４，８４，９４，１０４，１６４，１８４，２１４  偏向パターン
３０，２２０  トラッキングサーボ回路
３１，２２１  フォトディテクタ
７５，９５，１８５，１８８，２１６  プリピット
１０６，１６６，２１８  ウォブルグルーブ
１０８，２１９  記録ピット
１３０  記録再生装置
１６８  記録ドメイン
２２４  真偽判別回路
【図１】
2004152332.tif 000003
【図２】
2004152332.tif 000004
【図３】
2004152332.tif 000005
【図４】
2004152332.tif 000006
【図５】
2004152332.tif 000007
【図６】
2004152332.tif 000008
【図７】
2004152332.tif 000009
【図８】
2004152332.tif 000010
【図９】
2004152332.tif 000011
【図１０】
2004152332.tif 000012
【図１１】
2004152332.tif 000013
【図１２】
2004152332.tif 000014
【図１３】
2004152332.tif 000015
【図１４】
2004152332.tif 000016
【図１５】
2004152332.tif 000017
【図１６】
2004152332.tif 000018
【図１７】
2004152332.tif 000019
【図１８】
2004152332.tif 000020
【図１９】
2004152332.tif 000021
【図２０】
2004152332.tif 000022
【図２１】
2004152332.tif 000023
【図２２】
2004152332.tif 000024
【図２３】
2004152332.tif 000025